(57)【特許請求の範囲】
【請求項１】
スピーカボックス(３)と、該スピーカボックス(３)の内壁に取り付けられたスピーカユニット(４)とを具え、スピーカボックス(３)は、一対のボックス半体(１)(２)を接着剤(５)により互いに接合して構成されているスピーカ装置において、スピーカユニット(４)は、一方のボックス半体の前面壁部に設けられた段差部(14)に係合されると共に、その外周面から突出する端部が前記一対のボックス半体(１)(２)の間に介在する接着剤(５)の中で両ボックス半体(１)(２)の接合面に挟圧されることなく配置され、スピーカボックス(３)内に保持されていることを特徴とするスピーカ装置。
【請求項２】
スピーカユニット(４)の外周面には、スピーカボックス(３)の内壁へ向けて複数本のアーム(41)が突設され、これら複数本のアーム(41)の先端部が、前記接着剤(５)の中に配置されている請求項１に記載のスピーカ装置。
【請求項３】
一対のボックス半体(１)(２)が接合された状態で、両ボックス半体(１)(２)の接合面間には、隙間が形成され、該隙間に接着剤が充填されると共に、前記複数本のアーム(41)の先端部が配置されている請求項２に記載のスピーカ装置。
【発明の詳細な説明】
【０００１】
【発明の属する技術分野】
本発明は、ノート型パーソナルコンピュータ等の小型電子機器に搭載されるスピーカ装置に関するものである。
【０００２】
【従来の技術】
近年、ノート型パーソナルコンピュータ等の電子機器においては、益々小型化、薄型化が進んでいるが、この様な小型の電子機器においても、高い音質で音楽を再生することが要求されている。
【０００３】
図３(ａ)(ｂ)(ｃ)は、小型の電子機器に装備されている従来のスピーカ装置の構造を示している。図３(ａ)に示すスピーカ装置においては、一対のボックス半体(91)(92)を接着剤(５)により接合してスピーカボックス(９)が構成されており、該スピーカボックス(９)の内壁には、放音口(93)へ向けて、スピーカユニット(６)が接着剤(51)によって固定されている。
又、図３(ｂ)に示すスピーカ装置においては、スピーカユニット(６)の端部(61)をネジ(７)によってスピーカボックス(９)に固定している。
更に、図３(ｃ)に示すスピーカ装置においては、スピーカボックス(９)を構成している一方のボックス半体(92)に突片(94)を形成すると共に、該突片(94)とスピーカユニット(６)の間に緩衝材(８)を介在せしめ、一方のボックス半体(91)を他方のボックス半体(91)に対してネジ(７)によって締め付けることにより、スピーカユニット(６)をスピーカボックス(９)に固定している。
【０００４】
【発明が解決しようとする課題】
しかしながら、図３(ａ)に示すスピーカ装置は、構成は簡単であるが、接着剤(51)によってスピーカユニット(６)を固定しているため、固定強度が不十分であり、信頼性に欠ける問題がある。
図３(ｂ)に示すスピーカ装置によれば、スピーカユニット(６)の固定強度は高いものとなるが、ネジ(７)を締め付ける工程が必要となり、部品点数及び工数が増加して、コストアップに繋がる問題がある。又、ネジ(７)を取り付けるためのスペースが必要となって、スピーカボックス(９)の容積が小さくなり、音質の劣化を招く問題がある。更に、スピーカユニット(６)をネジ(７)によって締め付け固定することによって発生する応力により、スピーカユニット(６)に歪みが発生して、歩留りが低下する問題がある。
又、図３(ｃ)に示すスピーカ装置によれば、緩衝材(８)の設置によってスピーカユニット(６)に作用する外力はある程度緩和されるが、依然としてスピーカユニット(６)に発生する歪みは消失せず、歩留りが低下する問題がある。又、突片(94)の形成及び緩衝材(８)の設置によって、スピーカボックス(９)の容積が更に小さくなり、音質の更なる劣化を招く問題がある。又、ネジ(７)や緩衝材(８)によって部品点数が増大し、工数も増大する問題がある。
【０００５】
そこで本発明の目的は、スピーカユニットの固定強度の増大、部品点数及び組立工数の削減、スピーカボックスの容積の増大、並びにスピーカユニットに発生する歪みの抑制を同時に図ることが出来るスピーカ装置を提供することである。
【０００６】
【課題を解決する為の手段】
本発明に係るスピーカ装置は、スピーカボックス(３)と、該スピーカボックス(３)の内壁に取り付けられたスピーカユニット(４)とを具え、スピーカボックス(３)は、一対のボックス半体(１)(２)を接着剤(５)により互いに接合して構成されている。スピーカユニット(４)は、一方のボックス半体の前面壁部に設けられた段差部(14)に係合されると共に、その外周面から突出する端部が前記一対のボックス半体(１)(２)の間に介在する接着剤(５)の中で両ボックス半体(１)(２)の接合面に挟圧されることなく配置され、スピーカボックス(３)内に保持されている。
【０００７】
例えば、スピーカユニット(４)の外周面には、スピーカボックス(３)の内壁へ向けて複数本のアーム(41)が突設され、これら複数本のアーム(41)の先端部が、前記接着剤(５)の中に侵入して配置されている。
【０００８】
上記本発明のスピーカ装置においては、スピーカユニット(４)の端部が、両ボックス半体(１)(２)間に接着剤(５)を介して挟持され、この状態で両ボックス半体(１)(２)の接合面に接着剤(５)によって接着されているので、スピーカユニット(４)はスピーカボックス(３)に十分な強度で固定されることになる。従って、ねじを用いた固定構造は不要である。
又、スピーカユニット(４)の端部は、両ボックス半体(１)(２)間の接着剤(５)の中へ侵入して、両ボックス半体(１)(２)の接合面によって間接的に挟持されているに過ぎないので、該スピーカユニット(４)の端部は、無理な力が作用しない自由な状態のまま、接着剤(５)が固化することによって、スピーカボックス(３)に固定されることになる。従って、スピーカユニット(４)に歪みが発生することはない。
【０００９】
具体的構成において、一対のボックス半体(１)(２)が接合された状態で、両ボックス半体(１)(２)の接合面間には、隙間が形成され、該隙間に接着剤が充填されると共に、前記複数本のアーム(41)の先端部が配置されている。
従って、一対のボックス半体(１)(２)を接合方向に挟圧した状態で接着剤(５)による接合を行なう場合においても、複数本のアーム(41)の先端部が両ボックス半体(１)(２)の接合面によって直接に挟圧されることはない。従って、スピーカユニット(４)に無理な力が作用することはない。
【００１０】
【発明の効果】
本発明に係るスピーカ装置によれば、ネジによる固定構造を用いることなく、スピーカユニット(４)をスピーカボックス(３)に十分な強度で固定することが可能であるので、部品点数及び組立工数の削減を図ることが出来る。又、スピーカボックス(３)の内部に十分な容積を確保することが可能となるので、音質の向上を図ることが出来る。然も、スピーカユニット(４)に無理な力は作用しないので、スピーカユニット(４)に歪みが発生することはない。
【００１１】
【発明の実施の形態】
以下、本発明の実施の形態につき、図面に沿って具体的に説明する。
本発明に係るスピーカ装置は、図１に示す如く、トレイ状の一対のボックス半体(１)(２)を接着剤(５)により互いに接合して、扁平なスピーカボックス(３)を構成している。前面側のボックス半体(１)には円形の放音口(13)が開設されており、スピーカボックス(３)の内部には、放音口(13)へ向けて、スピーカユニット(４)が設置されている。
尚、接着剤(５)としては、比較的粘性の高いものが使用されており、両ボックス半体(１)(２)の接合面間には、一定値以上の厚さを有する接着剤層が形成されている。
【００１２】
図２に示す如く、前面側のボックス半体(１)は、矩形平板状の前面壁部(11)と枠状の側面壁部(12)とから構成され、前面壁部(11)に前記放音口(13)が開設されると共に、該放音口(13)を包囲して断差部(14)が形成されており、該段差部(14)にスピーカユニット(４)が係合している。又、該ボックス半体(１)の側面壁部(12)には、その内面に段差部(15)が形成されており、該段差部(15)の各辺の中央部には、それぞれ角溝状の凹部(16)が形成されている。
一方、背面側のボックス半体(２)には、前面側のボックス半体(１)との係合部に、ボックス半体(１)の段差部(15)と係合すべき薄肉部(21)が形成されている。
【００１３】
スピーカユニット(４)は、円板状の扁平な形状を有し、その外周面には、４本のアーム(41)が突設されており、各アーム(41)の先端部が前記ボックス半体(１)の凹部(16)に遊びをもって係合している。
【００１４】
図１に示す如く、一対のボックス半体(１)(２)の接合面間に接着剤(５)を介在させて、両ボックス半体(１)(２)が接合されている状態で、接着剤(５)は、前記凹部(16)にも充填されており、スピーカユニット(４)の各アーム(41)の先端部は、凹部(16)内の接着剤(５)の中に侵入して配置され、該接着剤(５)によって両ボックス半体(１)(２)の両接合面と接着固定されている。
但し、スピーカユニット(４)の各アーム(41)の先端部は、両ボックス半体(１)(２)の両接合面によって直接には挟圧されておらず、単に固化した接着剤(５)によって保持されているに過ぎない。
【００１５】
上述の如く、本発明に係るスピーカ装置によれば、ネジによる固定構造を用いることなく、スピーカユニット(４)のアーム(41)が、両ボックス半体(１)(２)の接合面間に挟持された状態で、両接合面間に充填された接着剤(５)によって、両接合面に十分な強度で接着固定されているので、図３(ａ)に示す従来のスピーカ装置よりも、スピーカユニット(４)の固定強度が高く、然も図３(ｂ)(ｃ)に示す従来のスピーカ装置に比べて、部品点数及び組立工数の削減を図ることが出来る。
又、スピーカボックス(３)の内部には、スピーカユニット(４)が収容されているに過ぎず、従来の如きネジや緩衝材は存在しないので、スピーカボックス(３)内に十分な容積が確保されて、音質が向上することになる。
【００１６】
然も、本発明のスピーカ装置の組立工程において、一対のボックス半体(１)(２)の接合面に接着剤を塗布した後、スピーカユニット(４)の各凹部(16)に各アーム(41)の先端部を係合させた状態で、両ボックス半体(１)(２)を接合せしめ、接着剤を固化させることによって両ボックス半体(１)(２)を互いに固定する過程で、スピーカユニット(４)のアーム(41)の先端部は、単に接着剤中に侵入して配置されているに過ぎず、無理な外力を受けることはないので、スピーカユニット(４)に歪みが発生することはない。
【図面の簡単な説明】
【図１】本発明に係るスピーカ装置の拡大断面図である。
【図２】該スピーカ装置の分解斜視図である。
【図３】従来の各種スピーカ装置の断面図である。
【符号の説明】
(１)  ボックス半体
(13)  放音口
(15)  段差部
(16)  凹部
(２)  ボックス半体
(21)  薄肉部
(３)  スピーカボックス
(４)  スピーカユニット
(41)  アーム
(５)  接着剤
【図１】
0003877621.tif 000002
【図２】
0003877621.tif 000003
【図３】
0003877621.tif 000004